(57)【要約】      （修正有）【課題】異なる仕様のソレノイドに対しカバー部材を共用化できる流体装置を提供する。【解決手段】本発明の流体装置１は、ハウジング２と、カバー部材４と、コイル９と、電磁弁３と、内部にコイル９を収容し通電時にコイル９が発生する磁束を形成するように設けられ、カバー部材４とハウジング２の一側面との間に位置決めするためのコイル９の軸方向に対応する方向の高さを調整する高さ調整部３０ａ、３２ａを有するヨーク１３を備える。【選択図】図１
2016109191.tif 000002
【特許請求の範囲】
【請求項１】
内部に流体が流れる油路が形成されたハウジングと、
前記ハウジングの一側面側に取り付けられ、前記ハウジングの一側面との間に空間を形成するカバー部材と、
前記空間に設けられ前記油路を断接するためのコイルと、前記コイルの軸方向に作動する弁体とを備えた電磁弁と、
内部に前記コイルを収容し通電時にコイルが発生する磁束の磁路を形成するよう設けられ、前記カバー部材と前記ハウジングの一側面との間に位置決めするための前記コイルの軸方向に対応する方向の高さを調整する高さ調整部とを有するヨークと、
を備えたことを特徴とする流体装置。
【請求項２】
請求項１に記載の流体装置において、
前記カバー部材は、前記ヨークを支持する支持部を備え、
前記高さ調整部は、前記支持部に向けて形成された突起であることを特徴とする流体装置。
【請求項３】
請求項２に記載の流体装置において、
前記ヨークは板部材であって、
前記突起は押し出しにより形成されていることを特徴とする流体装置。
【請求項４】
請求項１に記載の流体装置において、
前記ヨークは、前記支持部に支持される被支持部を備え、
前記被支持部は前記高さ調整部を備えていることを特徴とする流体装置。
【請求項５】
請求項１に記載の流体装置において、
前記ヨークは前記電磁弁を複数個内部に収容した共通ヨークであって、
前記共通ヨークを、上壁略中央にスリットを有する略矩形状断面が長手方向に連続し、かつ長手方向の少なくとも一端が開口する形状とする一方、前記各コイルの端面に、通電用ターミナルを軸方向外側に向かって突設し、前記共通ヨークの略矩形状断面内に複数のコイルを並列に収容配置すると共に、各コイルの通電用ターミナルを、前記スリットを通して前記共通ヨークの上方に突出させたことを特徴とする流体装置。
【請求項６】
請求項５に記載の流体装置において、
前記カバー部材に設けられた支持部と、
前記ヨークに設けられ、前記支持部に支持される被支持部と、
を備え、
前記被支持部は前記上壁に複数個形成されていることを特徴とする流体装置。
【請求項７】
請求項６に記載の流体装置において、
前記被支持部は前記高さ調整部を備えたことを特徴とする流体装置。
【請求項８】
請求項７に記載の流体装置において、
前記高さ調整部は３つ設けられ、前記高さ調整部のうち２つの高さ調整部が、前記スリットを挟んで一方の上壁に形成され、他の１つが前記スリットを挟んで他方の上壁であって、前記一方の上壁に形成した２つの高さ調整部の長手方向の間に配置されていることを特徴とする流体装置。
【請求項９】
請求項８に記載の流体装置において、
前記共通ヨークが前記ハウジングと前記カバー部材との間の空間に収容されたときにばね作用を為す弾性支持片を、前記共通ヨークの下壁に一体に形成したことを特徴とする流体装置。
【請求項１０】
請求項１に記載の流体装置において、
前記ヨークは薄板部材であって、
前記高さ調整部は前記薄板部材を前記支持部に向けて切り起こした切り起こし片であることを特徴とする流体装置。
【請求項１１】
請求項１０に記載の流体装置において、
前記切り起こし片は前記ヨークを部分的に切り起こして形成されていることを特徴とする流体装置。
【請求項１２】
請求項１に記載の流体装置において、
前記コイルが巻かれたボビンと、
前記ボビンに形成され、前記ヨークに対して位置決めする位置決め部を備えたことを特徴とする流体装置。
【請求項１３】
内部に流体が流れる流路が形成されたハウジングと、
前記ハウジングの一側面側に配置されたコイルと、前記コイルが巻架されたボビンと、
前記ボビンが外周側に来るよう配置され前記コイルにより発生した磁束により前記コイルの軸方向に作動し前記油路を断接する弁体と、
前記ハウジングの一側面側に取り付けられ、前記ハウジングの一側面との間に形成された空間に前記ボビンを収容するカバー部材と、
内部に前記ボビンを収容し通電時にコイルにより発生する磁束の磁路を形成し、前記カバー部材と当接する凸部を有するヨークと、
を備えたことを特徴とする流体装置。
【請求項１４】
請求項１３に記載の流体装置において、
前記ヨークは板部材であって、
前記凸部は、前記板部材を押し出した突起であることを特徴とする流体装置。
【請求項１５】
内部に流体が流れる油路が形成されたハウジングと、
前記ハウジングの一側面に取り付けられ、前記油路を断接する弁体と、前記弁体を駆動するコイルとを備えた電磁弁と、
板部材で形成され、内部に前記コイルを収容し前記コイルにより発生する磁束の磁路を形成すると共に、前記板部材を押し出して形成した突起を備えたヨークと、
前記ハウジングの一側面に取り付けられ、前記ハウジングの一側面との間に前記突起を介して前記ヨークを挟持するカバー部材と、
を備えたことを特徴とする流体装置。
【請求項１６】
請求項１５に記載の流体装置において、
前記ヨークは前記コイルを複数個内部に収容した共通ヨークであって、
前記共通ヨークを略矩形状断面で長手方向の少なくとも一端が開口する形状とする一方、前記共通ヨークに複数のコイルを並列に収容配置したことを特徴とする流体装置。
【請求項１７】
請求項１６に記載の流体装置において、
前記ヨークの上壁略中央に長手方向にスリットを形成し、
前記突起は３つ設けられ、前記突起のうち２つの突起が、前記スリットを挟んで一方の上壁に形成され、他の１つが前記スリットを挟んで他方の上壁であって、前記一方の上壁に形成した２つの突起の前記長手方向の間に配置し、前記カバー部材に対して３点で接触していることを特徴とする流体装置。
【発明の詳細な説明】
【技術分野】
【０００１】
本発明は、流体装置に関する。
【背景技術】
【０００２】
従来の流体装置では、電磁弁を覆うカバー部材をソレノイドのヨークに当接させることでヨークを位置決めしている。上記説明の技術に関係する一例は、特許文献１に記載されている。
【先行技術文献】
【特許文献】
【０００３】
【特許文献１】特開2005-24066号公報
【発明の概要】
【発明が解決しようとする課題】
【０００４】
上述の従来装置において、ソレノイドの仕様（電磁力）を変更してヨークの高さが変わると、ヨークの高さに合わせたカバー部材を準備しなければならず、コストアップを招く。このため、異なる仕様のソレノイドに対しカバー部材を共用化して欲しいとのニーズがある。
本発明の目的は、異なる仕様のソレノイドに対しカバー部材を共用化できる流体装置を提供することにある。
【課題を解決するための手段】
【０００５】
本発明の流体装置は、コイルの軸方向に対応する方向の高さを調整する高さ調整部を有するヨークを備える。
【発明の効果】
【０００６】
よって、異なる仕様のソレノイドに対しカバー部材を共用化できる。
【図面の簡単な説明】
【０００７】
【図１】実施例１の流体装置1の一部断面図である。
【図２】実施例１の共通ヨーク13の斜視図である。
【図３】実施例１の共通ヨーク13の三面図であり、(a)は平面図、(b)は側面図、(c)は正面図である。
【図４】実施例２のヨーク35の斜視図である。
【図５】実施例３の共通ヨーク42の斜視図である。
【図６】実施例４のヨーク46の斜視図である。
【図７】実施例５のヨーク48の斜視図である。
【発明を実施するための形態】
【０００８】
［流体装置］
図１は、実施例１の流体装置1の一部断面図である。
実施例１の流体装置1は、車両に搭載され、各車輪のホイルシリンダに供給するブレーキ液を調整し、アンチスキッド制御や横滑り防止制御等のブレーキ制御を行う。流体装置1は、ハウジング2、電磁弁3、カバー部材4、電子基板5および電動モータ6を有する。以下では、便宜上、図１の紙面上方、下方、左側および右側を流体装置1の上方、下方、左側および右側として説明する。
ハウジング2は、内部にブレーキ液（流体）が流れる油路7が形成されている。
電磁弁3は、ハウジング2の上面（一側面）8側に並列に８個配置されている。各電磁弁3は、油路7の異なる位置を断接する。各電磁弁3は、ハウジング2に形成された対応するバルブ挿入孔（不図示）に挿入されている。各電磁弁3は、ハウジング2にカシメ固定されている。各電磁弁3は、コイル9およびプランジャ（弁体）10を有する。コイル9は、ボビン11に巻架されている。ボビン11は、略円筒状に形成されている。電磁弁3は、ボビン11に圧入固定されている。ボビン11には、コイル9と電気的に接続された通電用ターミナル12が取り付けられている。通電用ターミナル12は、カバー部材4よりも上方へ突出し、電子基板5と電気的に接続されている。各電磁弁3は、１つの共通ヨーク13に収容されている。共通ヨーク13は、通電時にコイル9により発生する磁束の磁路を形成する。共通ヨーク13の詳細については後述する。プランジャ10は、ボビン11の内周側に配置されている。プランジャ10は、コイル9により発生した磁束によりコイル9の軸方向に作動し、油路7を断接する。
【０００９】
カバー部材4は、ハウジング2の上面8側に取り付けられている。カバー部材4は、円板状の支持部14と円筒状の側壁15とを有して下方側が開口したカップ状に形成されている。カバー部材4の支持部14とハウジング2の上面8との間には空間16が形成されている。空間16には、各電磁弁3および共通ヨーク13が収容されている。
電子基板5は、カバー部材4の上方側に配置されている。電子基板5は、カバー部材4の支持部14に設けられた取り付け部17によってカバー部材4に固定されている。電子基板5は、基板カバー18に覆われている。電子基板5は、図外のブレーキコントロールユニットからの指令に応じて各コイル9を通電し、各電磁弁3の作動を制御する。
電動モータ6は、ハウジング2の下面19側に配置され、ハウジング2内に収容されたオイルポンプ（不図示）を駆動する。電動モータ6は、ブレーキコントロールユニットからの指令に応じて駆動される。
【００１０】
［共通ヨーク］
次に、図２および図３を加えて実施例１の共通ヨーク13を詳細に説明する。図２は実施例１の共通ヨーク13の斜視図、図３は実施例１の共通ヨーク13の三面図であり、(a)は平面図、(b)は側面図、(c)は正面図である。
共通ヨーク13は、薄板部材を用いて、上壁略中央にスリット20を有する略矩形断面が長手方向に連続し、長手方向の両端が開口する形状に形成されている。共通ヨーク13の上壁は、スリット20を挟んで左側上壁21と右側上壁22とに分割されている。左側上壁21は、下壁23の左側端縁から上方に延びる左側側壁24と接続されている。右側上壁22は、下壁23の右側端縁から上方に延びる右側側壁25と接続されている。左右上壁21,22には、８つの位置決め用切り欠き26が形成され、下壁23には、８つの位置決め用穴27が形成されている。各位置決め用切り欠き部26および各位置決め用穴27は、同一径に設定され、コイル9の軸方向に重なるように配置されている。図１に示すように、各位置決め用切り欠き部26および各位置決め用穴27には、各ボビン11の軸方向両端に形成された円筒状の上側位置決め部28および下側位置決め部29が嵌合されている。各通電用ターミナル12は、スリット20を通して共通ヨーク13の上方に突出している。
【００１１】
左側上壁21および右側上壁22の上面21a,22aには、カバー部材4の支持部14に支持される３つの被支持部30,31,32が形成されている。各被支持部30,31,32は、カバー部材4の支持部14に向けて形成されたエンボス形状の突起（凸部）であり、押し出しにより形成されている。各被支持部30,31,32は、高さ調整部30a,31a,32aを備える。各高さ調整部30a,31a,32aは、ハウジング2とカバー部材4との間に共通ヨーク13を収容したとき、各被支持部30,31,32がカバー部材4の支持部14に当接するように、コイル9の軸方向に対応する方向の長さ（高さ）が調整されている。３つの被支持部30,31,32のうち、第１被支持部30および第２被支持部31は左側上壁21の上面21aに形成され、第３被支持部32は右側上壁22の上面22aに形成されている。第３被支持部32は、共通ヨーク13の長手方向において、第１被支持部30と第２被支持部31との間の中間位置に配置されている。すなわち、各被支持部30,31,32は、共通ヨーク13の長手方向に等間隔で交互に配置（千鳥配置）されている。
共通ヨーク13の下壁23の中央には、長穴33が形成されている。長穴33を挟んで長手方向両側には、弾性支持片34が形成されている。弾性支持片34は、先端が下壁23の下面よりも下方へ突出する板ばね状に形成されている。このため、弾性支持片34は、共通ヨーク13がハウジング2とカバー部材4とに挟持された状態で空間16に収容されたとき、ばね作用を為し、共通ヨーク13を支持部14に常時押し付ける。左側上壁21および右側上壁22には、下壁23の長穴33とコイル9の軸方向に重なる切り欠き21b,22bが形成されている。
【００１２】
［カバー部材の共用化］
従来の流体装置では、各電磁弁を覆うカバー部材をソレノイドのヨークに当接させることでヨークを位置決めしている。このため、ソレノイドの仕様を変更してヨークの高さが変わると、ヨークの高さに合わせたカバー部材を準備しなければならず、コストアップを招くという問題があった。
これに対し、実施例１では、カバー部材4の支持部14に支持される各被支持部30,31,32と、コイル9の軸方向に対応する高さを調整する各高さ調整部30a,31a,32aとを有する共通ヨーク13を備える。このため、ソレノイドの仕様を変更し、左側上壁21および右側上壁22から支持部14までの距離が変化した場合であっても、当該距離に合わせて高さ調整部30a,31a,32aの高さを設定することにより、カバー部材4を共通ヨーク13に当接させ、共通ヨーク13を位置決めできる。よって、異なる仕様のソレノイドに対しカバー部材4を共用化できる。
また、各高さ調整部30a,31a,32aは押し出しにより共通ヨーク13の左側上壁21および右側上壁22に形成した突起であるため、容易に形成でき、部品点数が増えることもない。
【００１３】
以下、実施例１に記載の流体装置が奏する効果を列挙する。
(1-1) 内部に流体が流れる油路7が形成されたハウジング2と、ハウジング2の上面8側に取り付けられ、ハウジング2の上面8との間に空間16を形成するカバー部材4と、空間16に設けられ油路7を断接するためのコイル9と、コイル9の軸方向に作動するプランジャ10とを備えた電磁弁3と、内部にコイル9を収容し通電時にコイル9が発生する磁束の磁路を形成するよう設けられ、カバー部材4とハウジング2の上面8との間に位置決めするためのコイル9の軸方向に対応する方向の高さを調整する高さ調整部30a,31a,32aとを有するヨーク（共通ヨーク13）と、を備えたことを特徴とする流体装置。
よって、高さ調整部30a,31a,32aの高さを調整するだけで、カバー部材4をヨークに当接させ、ヨークを位置決めできるため、異なる仕様のソレノイドに対しカバー部材4を共用化できる。
(2-2) (1-1)に記載の流体装置において、カバー部材4は、ヨークを支持する支持部14を備え、高さ調整部30a,31a,32aは、支持部14に向けて形成された突起であることを特徴とする流体装置。
よって、高さ調整部30a,31a,32aを容易に形成できる。
【００１４】
(3-3) (2-2)に記載の流体装置において、ヨークは板部材であって、突起は押し出しにより形成されていることを特徴とする流体装置。
よって、押し出しにより高さ調整部30a,31a,32aを容易に形成できる。また、磁路断面積を減らすことなく高さ調整部30a,31a,32aを設けることができるため、磁路抵抗の増加を抑制できる。
(4-4) (1-1)に記載の流体装置において、ヨークは、支持部14に支持される被支持部30,31,32を備え、被支持部30,31,32は高さ調整部30a,31a,32aを備えていることを特徴とする流体装置。
よって、高さ調整部を被支持部と別の場所に設けた場合と比較して、製造効率を向上できる。
(5-5) (1-1)に記載の流体装置において、ヨークは電磁弁3を８個内部に収容した共通ヨーク13であって、共通ヨーク13を、上壁略中央にスリット20を有する略矩形状断面が長手方向に連続し、かつ長手方向の両端が開口する形状とする一方、各コイル9の端面に、通電用ターミナル12を軸方向外側に向かって突設し、共通ヨーク13の略矩形状断面内に８個のコイル9を並列に収容配置すると共に、各コイル9の通電用ターミナル12を、スリット20を通して共通ヨーク13の上方に突出させたことを特徴とする流体装置。
よって、ヨーク共通化によりハウジング2への組付け性を向上できる。なお、実施例１では、共通ヨーク13の長手方向両端が開口する形状としたが、長手方向の少なくとも一方が開口していれば、当該開口から共通ヨーク13の内部に各ボビン11を挿入し取り付けることが可能である。
【００１５】
(6-6) (5-5)に記載の流体装置において、カバー部材4に設けられた支持部14と、ヨークに設けられ、支持部14に支持される被支持部30,31,32と、を備え、被支持部30,31,32は左側上壁21および右側上壁22に３個形成されていることを特徴とする流体装置。
よって、共通ヨーク13がカバー部材4に対し３点で支持されるため、共通ヨーク13を安定的に支持できる。なお、実施例１では、共通ヨークに被支持部を３個形成したが、複数個であれば、１つの場合よりも共通ヨークを安定して支持できる。
(7-7) (6-6)に記載の流体装置において、被支持部30,31,32は高さ調整部30a,31a,32aを備えたことを特徴とする流体装置。
よって、高さ調整部を被支持部と別の場所に設けた場合と比較して、製造効率を向上できる。
(8-8) (7-7)に記載の流体装置において、高さ調整部30a,31a,32aは３つ設けられ、高さ調整部30a,31a,32aのうち２つの高さ調整部30a,31aが、スリット20を挟んで一方の上壁（左側上壁21）に形成され、他の１つ（高さ調整部32a）がスリット20を挟んで他方の上壁（右側上壁22）であって、一方の上壁に形成した２つの高さ調整部30a,31aの長手方向の間に配置されていることを特徴とする流体装置。
よって、３つの高さ調整部30a,31a,32aを交互に配置（千鳥配置）することで、共通ヨーク13を安定的に支持できる。
【００１６】
(9-9) (8-8)に記載の流体装置において、共通ヨーク13がハウジング2とカバー部材4との間の空間16に収容されたときにばね作用を為す弾性支持片34を、共通ヨーク13の下壁23に一体に形成したことを特徴とする流体装置。
よって、被支持部30,31,32をカバー部材4に押し付けて共通ヨーク13を安定的に支持する構成を、部品点数を増やすことなく実現できる。
(10-12) (1-1)に記載の流体装置において、コイル9が巻かれたボビン11と、ボビン11に形成され、共通ヨーク13に対して位置決めする上側位置決め部28および下側位置決め部29を備えたことを特徴とする流体装置。
よって、上側位置決め部28を共通ヨーク13の位置決め用切り欠き部26に嵌合させ、下側位置決め部29を共通ヨーク13の位置決め用穴27に嵌合させるだけで、共通ヨーク13に対しボビン11を容易に位置決めできる。
【００１７】
(11-13) 内部に流体が流れる油路7が形成されたハウジング2と、ハウジング2の上面8側に配置されたコイル9と、コイル9が巻架されたボビン11と、ボビン11が外周側に来るよう配置されコイル9により発生した磁束によりコイル9の軸方向に作動し油路7を断接するプランジャ10と、ハウジング2の上面8側に取り付けられ、ハウジング2の上面8との間に形成された空間16にボビン11を収容するカバー部材4と、内部にボビン11を収容し通電時にコイル9により発生する磁束の磁路を形成し、カバー部材4と当接する凸部（被支持部30,31,32）を有する共通ヨーク13と、を備えたことを特徴とする流体装置。
よって、凸部の高さを調整するだけで、カバー部材4を共通ヨーク13に当接させ、共通ヨーク13を位置決めできるため、異なる仕様のソレノイドに対しカバー部材4を共用化できる。
(12-14) (11-13)に記載の流体装置において、共通ヨーク13は板部材であって、凸部は、板部材を押し出した突起であることを特徴とする流体装置。
よって、押し出しにより凸部を容易に形成できる。また、磁路断面積を減らすことなく凸部を設けることができるため、磁路抵抗の増加を抑制できる。
【００１８】
(13-18) 内部に流体が流れる油路7が形成されたハウジング2と、ハウジング2の上面8に取り付けられ、油路7を断接するプランジャ10と、プランジャ10を駆動するコイル9とを備えた電磁弁3と、板部材で形成され、内部にコイル9を収容しコイル9により発生する磁束の磁路を形成すると共に、板部材を押し出して形成した突起（高さ調整部30a,31a,32a）を備えたヨーク（共通ヨーク13）と、ハウジング2の上面8に取り付けられ、ハウジング2の上面8との間に突起を介してヨークを挟持するカバー部材4と、を備えたことを特徴とする流体装置。
よって、突起の高さを調整するだけで、カバー部材4を共ヨークに当接させ、ヨークを位置決めできるため、異なる仕様のソレノイドに対しカバー部材4を共用化できる。
(14-19) (13-18)に記載の流体装置において、ヨークはコイル9を８個内部に収容した共通ヨーク13であって、共通ヨーク13を略矩形状断面で長手方向の両端が開口する形状とする一方、共通ヨーク13に８個のコイル9を並列に収容配置したことを特徴とする流体装置。
よって、ヨーク共通化によりハウジング2への組付け性を向上できる。
(15-20) (14-19)に記載の流体装置において、共通ヨーク13の上壁略中央に長手方向にスリット20を形成し、突起は３つ設けられ、突起のうち２つの突起が、スリット20を挟んで一方の上壁（左側上壁21）に形成され、他の１つがスリット20を挟んで他方の上壁（右側上壁22）であって、一方の上壁に形成した２つの突起の長手方向の間に配置し、カバー部材4に対して３点で接触していることを特徴とする流体装置。
よって、共通ヨーク13がカバー部材4に対し３点で支持されるため、共通ヨーク13を安定的に支持できる。
【００１９】
〔実施例２〕
次に、実施例２について説明する。基本的な構成は実施例１と同じであるため、異なる点についてのみ説明する。図４は、実施例２のヨーク35の斜視図である。実施例２は、コイル9毎にヨーク35を設けた点で実施例１と相違する。ヨーク35は、薄板部材を用いて、上壁36、下壁37および側壁38を有するコ字状に形成されている。上壁36には、上側位置決め用穴39が形成され、下壁37には、下側位置決め用穴40が形成されている。両位置決め用穴39,40は、同一径に設定され、コイル9の軸方向に重なるように配置されている。上側位置決め用穴39には、ボビン11の上側位置決め部28が嵌合されている。下側位置決め用穴40には、ボビン11の下側位置決め部29が嵌合されている。上壁36の上面36aには、カバー部材4の支持部14に支持される被支持部41が形成されている。被支持部41は、カバー部材4の支持部14に向けて形成されたエンボス形状の突起（凸部）であり、押し出しにより形成されている。被支持部41は、高さ調整部41aを備える。高さ調整部41aは、ハウジング2とカバー部材4との間にヨーク35を収容したとき、被支持部41がカバー部材4の支持部14に当接するように、コイル9の軸方向に対応する方向の長さ（高さ）が調整されている。ヨーク35は、ハウジング2とカバー部材4との間の空間16に収容される際、下壁37と上面8との間に図外の弾性支持片が介装される。弾性支持片のばね作用により、ヨーク35は支持部14に常時押し付けられる。
【００２０】
実施例２も実施例１と同様に、カバー部材4の支持部14に支持される被支持部41と、コイル9の軸方向に対応する高さを調整する高さ調整部41aとを有するヨーク35を備える。このため、ソレノイドの仕様を変更し、上壁36から支持部14までの距離が変化した場合であっても、当該距離に合わせて高さ調整部41aの高さを設定することにより、カバー部材4をヨーク35に当接させ、ヨーク35を位置決めできる。よって、異なる仕様のソレノイドに対しカバー部材4を共用化できる。
また、高さ調整部41aは押し出しによりヨーク35の上壁36に形成した突起であるため、容易に形成でき、部品点数が増えることもない。
【００２１】
〔実施例３〕
次に、実施例３について説明する。基本的な構成は実施例１と同じであるため、異なる点についてのみ説明する。図５は、実施例３の共通ヨーク42の斜視図である。実施例３は、３つの被支持部43,44,45の形状が実施例１と相違する。各被支持部43,44,45は、カバー部材4の支持部14に向けて形成された切り起こし片であり、左側上壁21および右側上壁22を部分的に切り起こして形成されている。各被支持部43,44,45は、高さ調整部43a,44a,45aを備える。各高さ調整部43a,44a,45aは、ハウジング2とカバー部材4との間に共通ヨーク42を収容したとき、各被支持部43,44,45がカバー部材4の支持部14に当接するように、コイル9の軸方向に対応する方向の長さ（高さ）が調整されている。３つの被支持部43,44,45のうち、第１被支持部43および第２被支持部44は左側上壁21の上面21aに形成され、第３被支持部45は右側上壁22の上面22aに形成されている。第３被支持部45は、共通ヨーク42の長手方向において、第１被支持部43と第２被支持部44との間の中間位置に配置されている。すなわち、各被支持部43,44,45は、共通ヨーク42の長手方向に等間隔で交互に配置（千鳥配置）されている。
【００２２】
実施例３も実施例１と同様に、カバー部材4の支持部14に支持される各被支持部43,44,45と、コイル9の軸方向に対応する高さを調整する各高さ調整部43a,44a,45aとを有する共通ヨーク42を備える。このため、ソレノイドの仕様を変更し、左側上壁21および右側上壁22から支持部14までの距離が変化した場合であっても、当該距離に合わせて高さ調整部43a,44a,45aの高さを設定することにより、カバー部材4を共通ヨーク42に当接させ、共通ヨーク42を位置決めできる。よって、異なる仕様のソレノイドに対しカバー部材4を共用化できる。
また、各高さ調整部43a,44a,45aは切り起こしにより共通ヨーク42の左側上壁21および右側上壁22に形成した切り起こし片であるため、容易に形成でき、部品点数が増えることもない。
【００２３】
実施例３にあっては、以下に列挙する効果を奏する。
(16-10) (1-1)に記載の流体装置において、ヨーク（共通ヨーク42）は薄板部材であって、高さ調整部43a,44a,45aは薄板部材を支持部14に向けて切り起こした切り起こし片であることを特徴とする流体装置。
よって、切り起こしにより高さ調整部43a,44a,45aを容易に形成できる。
(17-11) (16-10)に記載の流体装置において、切り起こし片はヨーク（共通ヨーク42）を部分的に切り起こして形成されていることを特徴とする流体装置。
高さ調整部43a,44a,45aの切り起こしによってヨークには切り欠きが形成されるが、この切り欠きは部分的なものであるため、ヨークにおける磁路断面積の減少は小さく抑えられる。よって、高さ調整部43a,44a,45aの切り起こし形成に伴う磁路抵抗の増加を抑制できる。
【００２４】
〔実施例４〕
次に、実施例４について説明する。基本的な構成は実施例２と同じであるため、異なる点についてのみ説明する。図６は、実施例４のヨーク46の斜視図である。実施例４は、被支持部47の形状が実施例２と相違する。被支持部47は、カバー部材4の支持部14に向けて形成された切り起こし片であり、上壁36を部分的に切り起こして形成されている。被支持部47は、高さ調整部47aを備える。高さ調整部47aは、ハウジング2とカバー部材4との間にヨーク46を収容したとき、被支持部47がカバー部材4の支持部14に当接するように、コイル9の軸方向に対応する方向の長さ（高さ）が調整されている。
実施例４も実施例２と同様に、カバー部材4の支持部14に支持される被支持部47と、コイル9の軸方向に対応する高さを調整する高さ調整部47aとを有するヨーク46を備える。このため、ソレノイドの仕様を変更し、上壁36から支持部14までの距離が変化した場合であっても、当該距離に合わせて高さ調整部47aの高さを設定することにより、カバー部材4をヨーク46に当接させ、ヨーク46を位置決めできる。よって、異なる仕様のソレノイドに対しカバー部材4を共用化できる。
また、高さ調整部47aは切り起こしによりヨーク46の上壁36に形成した切り起こし片であるため、容易に形成でき、部品点数が増えることもない。
【００２５】
〔実施例５〕
次に、実施例５について説明する。基本的な構成は実施例２と同じであるため、異なる点についてのみ説明する。図７は、実施例５のヨーク48の斜視図である。実施例５は、ボビン49に被支持部50を設けた点で実施例２と相違する。被支持部50は、カバー部材4の支持部14に向けて形成された突起（凸部）であり、ボビン49との一体成型により形成されている。被支持部50は、高さ調整部50aを備える。高さ調整部50aは、ハウジング2とカバー部材4との間にヨーク48を収容したとき、被支持部50がカバー部材4の支持部14に当接するように、コイル9の軸方向に対応する方向の長さ（高さ）が調整されている。
【００２６】
実施例５も実施例２と同様に、カバー部材4の支持部14に支持される被支持部50と、コイル9の軸方向に対応する高さを調整する高さ調整部50aとを有するヨーク48を備える。このため、ソレノイドの仕様を変更し、上壁36から支持部14までの距離が変化した場合であっても、当該距離に合わせて高さ調整部50aの高さを設定することにより、カバー部材4をヨーク48に当接させ、ヨーク48を位置決めできる。よって、異なる仕様のソレノイドに対しカバー部材4を共用化できる。
また、高さ調整部50aはボビン49との一体成型により形成した突起であるため、容易に形成でき、部品点数が増えることもない。
【００２７】
以下に、実施例から把握される特許請求の範囲に記載した発明以外の技術的思想について説明する。
(18-15) (12-14)に記載の流体装置において、
前記凸部は前記カバー部材に当接し、前記ヨークは前記カバー部材と前記ハウジングの一側面との間に支持されていることを特徴とする流体装置。
よって、凸部を介してヨークを支持することでカバー部材の共用化が図れる。
(19-16) (18-15)に記載の流体装置において、
前記ヨークは前記ボビンを複数個内部に収容した共通ヨークであって、
前記共通ヨークを略矩形状断面で長手方向の少なくとも一端が開口する形状とする一方、前記共通ヨークに複数のボビンを並列に収容配置したことを特徴とする流体装置。
よって、ヨークの共通化により組付け性を向上できる。
(20-17) (19-16)に記載の流体装置において、
前記ヨークの上壁略中央に長手方向にスリットを形成し、
前記凸部はほぼ同じ高さを備えて少なくとも３つ設けられ、前記複数の凸部の一部は、前記スリットを挟んで一方の上壁に形成され、残りの凸部は前記スリットを挟んで他方の上壁に形成され、前記一方の上壁に形成した凸部と前記他方の上壁に形成した凸部とは前記長手方向に交互に配置されていることを特徴とする流体装置。
よって、３つの凸部を交互に配置（千鳥配置）することで、共通ヨークを安定的に支持できる。
【符号の説明】
【００２８】
1  流体装置
2  ハウジング
3  電磁弁
4  カバー部材
7  油路
8  上面（一側面）
9  コイル
10  プランジャ（弁体）
13  共通ヨーク（ヨーク）
14  支持部
16  空間
30,31,32  被支持部
30a,31a,32a  高さ調整部
35  ヨーク
41  被支持部
41a  高さ調整部
42  共通ヨーク
43,44,45  被支持部
43a,44a,45a  高さ調整部
46  ヨーク
47  被支持部
47a  高さ調整部
48  ヨーク
50  被支持部
50a  高さ調整部
【図１】
2016109191.tif 000003
【図２】
2016109191.tif 000004
【図３】
2016109191.tif 000005
【図４】
2016109191.tif 000006
【図５】
2016109191.tif 000007
【図６】
2016109191.tif 000008
【図７】
2016109191.tif 000009